(57)【要約】【課題】位置決め工程が複雑化するのを抑制しながら、絞り部材をレンズ部材に対して容易に位置決めすることが可能な撮像装置を提供する。【解決手段】撮像装置は、レンズ部材７および絞り部材４を備えている。そして、レンズ部材７は、基材７１と、基材７１に形成されたレンズ部７２ａ〜７２ｃと、基材７１に形成された位置決め用の突出部７４ａおよび７４ｂとを含んでいる。絞り部材４には、レンズ部７２ａ〜７２ｃと対応する領域に、レンズ部７２ａ〜７２ｃに光を入射させるための開口部４１ａ〜４１ｃが形成されるとともに、突出部７４ａおよび７４ｂと対応する領域に、突出部７４ａおよび７４ｂが挿入される開口部４２ａおよび４２ｂが形成されている。絞り部材４は、レンズ部材７の表面上に設けられている。【選択図】図５
2009229490.tif 000002
【特許請求の範囲】
【請求項１】
レンズ部材および絞り部材を備えた撮像装置において、
前記レンズ部材は、基材と、前記基材に形成された複数のレンズ部と、前記基材に形成された位置決め用の突出部とを含み、
前記絞り部材には、前記レンズ部と対応する領域に、前記レンズ部に光を入射させるための第１開口部が形成されるとともに、前記突出部と対応する領域に、前記突出部が挿入される第２開口部が形成され、
前記絞り部材は、前記レンズ部材の表面上に設けられていることを特徴とする撮像装置。
【請求項２】
請求項１に記載の撮像装置において、
前記レンズ部材の基材は、正面視において実質的に矩形状に形成されており、
前記突出部は、前記基材の対角線の両端部近傍にそれぞれ形成されていることを特徴とする撮像装置。
【請求項３】
請求項１または請求項２に記載の撮像装置において、
前記レンズ部材の基材には、凹部が形成されるとともに、前記凹部には、前記突出部が形成されていることを特徴とする撮像装置。
【請求項４】
請求項１ないし請求項３のいずれかに記載の撮像装置において、
前記レンズ部材が収納される収納部を含むレンズホルダをさらに備え、
前記絞り部材は、前記レンズホルダに取り付けられていることを特徴とする撮像装置。
【請求項５】
請求項１ないし請求項４のいずれかに記載の撮像装置において、
前記絞り部材は、鉄板からなることを特徴とする撮像装置。
【発明の詳細な説明】
【技術分野】
【０００１】
本発明は、レンズ部材を備えた撮像装置に関する。
【背景技術】
【０００２】
従来、レンズ部材を備えた撮像装置が種々知られている（たとえば、特許文献１〜３参照）。
【０００３】
上記特許文献１には、レンズ部材を保持するレンズホルダと、撮像素子とを備えた撮像装置が開示されている。この撮像装置では、レンズホルダにテーパ状のピン部材が形成されるとともに、撮像素子にテーパ状の基準穴が形成されており、ピン部材が基準穴に挿入されることにより、レンズホルダが撮像素子に対して位置決めされている。
【０００４】
また、上記特許文献２には、レンズ（レンズ部材）を保持する鏡筒部と、撮像素子とを備えた撮像装置が開示されている。この撮像装置は、撮像素子により撮像された画像を確認しながら、鏡筒部に対する撮像素子の位置決めを行うように構成されている。
【０００５】
また、上記特許文献３には、光学部材（レンズ部材）と、開口を有する絞り板（絞り部材）とを備えた撮像装置が開示されている。この撮像装置では、絞り板が接着剤により光学部材に取り付けられている。
【０００６】
【特許文献１】特開２００３−８６７７９号公報
【特許文献２】特開２００４−３２０１６９号公報
【特許文献３】特開２００３−２８３８９２号公報
【発明の開示】
【発明が解決しようとする課題】
【０００７】
しかしながら、上記特許文献１に開示された撮像装置の位置決め構造では、テーパ状の基準穴にテーパ状のピン部材が挿入されているので、レンズホルダが撮像素子に対して傾斜するという不都合が発生することが考えられる。したがって、上記特許文献１の位置決め構造では、位置決め工程が複雑化するという問題点がある。
【０００８】
また、上記特許文献２に開示された撮像装置の位置決め方法では、撮像素子により撮像された画像を確認する必要があるので、位置決め工程が複雑化するという問題点がある。
【０００９】
また、上記特許文献３に開示された撮像装置では、絞り板（絞り部材）が接着剤により光学部材（レンズ部材）に取り付けられているが、絞り板の光学部材に対する位置決め構造については、示唆も開示もされていない。
【００１０】
本発明は、上述した課題を解決するものであって、その目的とするところは、位置決め工程が複雑化するのを抑制しながら、絞り部材をレンズ部材に対して容易に位置決めすることが可能な撮像装置を提供することである。
【課題を解決するための手段】
【００１１】
本発明の撮像装置は、レンズ部材および絞り部材を備えた撮像装置であって、レンズ部材は、基材と、基材に形成された複数のレンズ部と、基材に形成された位置決め用の突出部とを含み、絞り部材には、レンズ部と対応する領域に、レンズ部に光を入射させるための第１開口部が形成されるとともに、突出部と対応する領域に、突出部が挿入される第２開口部が形成され、絞り部材は、レンズ部材の表面上に設けられている。
【００１２】
このように、レンズ部材の表面上に絞り部材を設けることにより、絞り部材がレンズ部材に対して傾斜するのを抑制することができる。また、絞り部材の第２開口部にレンズ部材の突出部を挿入することにより、絞り部材の第１開口部がレンズ部材のレンズ部と対応する領域に位置する状態で、絞り部材をレンズ部材に対して容易に位置決めすることができる。
【００１３】
上記撮像装置において、レンズ部材の基材は、正面視において実質的に矩形状に形成されており、突出部は、基材の対角線の両端部近傍にそれぞれ形成されていてもよい。
【００１４】
このように構成することによって、位置決め用の突出部間の距離を大きくすることができるので、絞り部材のレンズ部材に対する位置決め精度の向上を図ることができる。
【００１５】
上記撮像装置において、レンズ部材の基材には、凹部が形成されるとともに、凹部には、突出部が形成されていてもよい。
【００１６】
このように構成することによって、レンズ部材を射出成形により形成する場合に、突出部の幅を基材の表面と対応する位置まで均一にすることができる。このため、第２開口部に突出部を挿入する際に、容易に、レンズ部材の表面上に絞り部材を載置することができる。
【００１７】
上記撮像装置において、レンズ部材が収納される収納部を含むレンズホルダをさらに備え、絞り部材は、レンズホルダに取り付けられていてもよい。
【００１８】
このように構成することによって、収納部に収納されたレンズ部材に対して絞り部材を位置決めしながら、絞り部材をレンズホルダに取り付けることができるので、組立工程数が増加するのを抑制することができる。
【００１９】
上記撮像装置において、絞り部材は、鉄板により構成されていてもよい。
【００２０】
このように構成することによって、絞り部材を樹脂により形成する場合に比べて、絞り部材の薄型化を図ることができる。これにより、撮像装置の薄型化も図ることができる。
【発明の効果】
【００２１】
本発明によれば、位置決め工程が複雑化するのを抑制しながら、絞り部材をレンズ部材に対して容易に位置決めすることが可能な撮像装置を提供することができる。
【発明を実施するための最良の形態】
【００２２】
以下、本発明の実施形態について、図面を参照しながら説明する。
【００２３】
図１は、本発明の一実施形態による撮像装置の全体構成の概略を示した分解斜視図である。図２は、図１の５００−５００線に沿った断面図であり、図３は、図１の５１０−５１０線に沿った断面図である。図４〜図９は、図１に示した撮像装置の構成を説明するための図である。まず、図１〜図９を参照して、本実施形態による撮像装置１００の構成について説明する。
【００２４】
本発明の一実施形態による撮像装置１００は、図１に示すように、撮像素子１と、隔壁２と、レンズホルダ３と、絞り部材４と、プリズム５ａおよび５ｂとを備えている。
【００２５】
撮像素子１は、ＣＣＤ（Charge Coupled  Device）撮像素子、またはＣＭＯＳ撮像素子などからなり、カバーガラス１ａ（図２および図３参照）を含むパッケージ内に設けられている。また、撮像素子１は、図２および図３に示すように、カバーガラス１ａの表面と間隔Ｄ１を隔てて実質的に平行に設けられている。
【００２６】
隔壁２は、遮光性を有するとともに、カバーガラス１ａの表面上に設けられている。この隔壁２は、光線到達領域Ｒｃ１、Ｒｃ２、およびＲｃ３を調整するために設けられている。また、隔壁２には、図４に示すように、正面視（図１のＹ２方向を見た場合）において、三角形の頂点と対応する領域に矩形状の開口部２ａ〜２ｃが形成されている。
【００２７】
隔壁２の表面上には、図２および図３に示すように、近赤外線を除去するための赤外線カットフィルタ６が設けられている。
【００２８】
レンズホルダ３は、遮光性を有する樹脂などからなり、赤外線カットフィルタ６の表面上に設けられている。このレンズホルダ３には、図５に示すように、レンズ部材７が収納される収納部３１が形成されている。また、レンズホルダ３には、正面視において、収納部３１を取り囲むように溝部３２が形成されている。レンズホルダ３の表面３ａには、一対の突出部３３が形成されるとともに、複数の凹部３４が形成されている。
【００２９】
収納部３１は、正面視略矩形状に形成されるとともに、凹状に形成されている。収納部３１には、正面視において、三角形の頂点と対応する領域に円形状の開口部３１ａ〜３１ｃが形成されている。開口部３１ａ〜３１ｃは、図２および図３に示すように、それぞれ、隔壁２の開口部２ａ〜２ｃと対応する領域に設けられている。また、収納部３１には、図５に示すように、Ｘ１方向側の側面およびＸ２方向側の側面に、凹部３１ｄが形成されている。この凹部３１ｄは、レンズ部材７をレンズホルダ３に取り付けるための紫外線硬化樹脂などの接着剤（図示せず）を塗布するために設けられている。また、収納部３１には、Ｚ２方向側の側面に凹状の逃げ部３１ｅが形成されている。
【００３０】
溝部３２は、図２および図３に示すように、絞り部材４をレンズホルダ３に取り付けるための両面テープなどの接着層８を配置するために設けられている。突出部３３は、プリズム５ａおよび５ｂ（図１参照）を保持するプリズムホルダ（図示せず）の位置決めをするために設けられている。凹部３４は、レンズホルダ３の射出成形時に、イジェクトピンの受け部として機能する。このため、レンズホルダ３の射出成形時に、レンズホルダ３の表面３ａがイジェクトピンに押圧されることに起因して、表面３ａにがたつきが発生するのを抑制することが可能である。
【００３１】
レンズ部材７は、樹脂などからなり、図２および図３に示すように、レンズホルダ３の収納部３１に収納されている。このレンズ部材７は、図５および図８に示すように、正面視において略矩形状に形成された基材７１を含んでいる。
【００３２】
ここで、本実施形態では、基材７１には、正面視において、三角形の頂点と対応する領域にレンズ部７２ａ〜７２ｃが形成されている。レンズ部７２ａ〜７２ｃは、図２および図３に示すように、それぞれ、レンズホルダ３の開口部３１ａ〜３１ｃと対応する領域に設けられている。また、レンズ部７２ａ〜７２ｃは、平凸レンズであり、約４０°の画角を有する。
【００３３】
レンズ部７２ａは、図３に示すように、θ１（本実施形態では、約４０°）の角度範囲を有する被写領域Ｒａ１から入射される光線Ｌ１を撮像素子１の撮像領域Ｒｂ１に集光するために設けられている。なお、図３の光線Ｌ１は、被写領域Ｒａ１から撮像領域Ｒｂ１に集光される光線の一例である。
【００３４】
レンズ部７２ｂは、図２に示すように、プリズム５ａから入射される光線Ｌ２を撮像素子１の撮像領域Ｒｂ２に集光するために設けられている。また、レンズ部７２ｃは、プリズム５ｂから入射される光線Ｌ３を撮像素子１の撮像領域Ｒｂ３に集光するために設けられている。
【００３５】
また、本実施形態では、基材７１には、図５および図８に示すように、対角線の端部近傍に凹部７３ａおよび７３ｂが形成されている。この凹部７３ａおよび７３ｂには、それぞれ、Ｙ１方向に延びるように円柱状の突出部７４ａおよび７４ｂが形成されている。突出部７４ａの先端部７５ａは、テーパ状に形成されるとともに、突出部７４ｂの先端部７５ｂは、テーパ状に形成されている。
【００３６】
また、基材７１のＺ２方向の端部には、レンズ部材７の射出成形時のゲート残り部７６が形成されている。このゲート残り部７６は、レンズ部材７がレンズホルダ３の収納部３１に収納された際に、逃げ部３１ｅに配置されている。
【００３７】
絞り部材４は、遮光性を有する鉄板からなり、図２および図３に示すように、レンズ部材７の表面上に設けられている。この絞り部材４は、レンズ部７２ａ〜７２ｃに入射する光量を調整するために設けられている。また、絞り部材４は、接着層８により、レンズホルダ３に取り付けられている。このとき、絞り部材４は、表面４ａがレンズホルダ３の表面３ａと略面一となるように構成されている。
【００３８】
また、本実施形態では、絞り部材４には、図５〜図７に示すように、正面視において、三角形の頂点と対応する領域に円形状の開口部４１ａ〜４１ｃが形成されている。開口部４１ａ〜４１ｃは、図２および図３に示すように、それぞれ、レンズ部７２ａ〜７２ｃと対応する領域に設けられている。なお、開口部４１ａ〜４１ｃは、本発明の「第１開口部」の一例である。
【００３９】
また、本実施形態では、絞り部材４には、図５〜図７に示すように、レンズ部材７の突出部７４ａおよび７４ｂと対応する領域に、それぞれ、円形状の開口部４２ａおよび４２ｂが形成されている。この開口部４２ａおよび４２ｂは、円柱状の突出部７４ａおよび７４ｂの直径と略同じ大きさの直径を有しており、突出部７４ａおよび７４ｂに対して圧入可能に構成されている。なお、開口部４２ａおよび４２ｂは、本発明の「第２開口部」の一例である。
【００４０】
プリズム５ａは、図２に示すように、平面的に見て直角二等辺三角形状に形成されるとともに、Ｚ１方向（図１参照）に延びるように形成されている。このプリズム５ａは、光入射面５１ａと、光入射面５１ａと直交する面である光出射面５２ａと、光反射面５３ａとを有する。また、プリズム５ａは、絞り部材４の開口部４１ｂと対応する領域に設けられている。
【００４１】
また、プリズム５ａは、光出射面５２ａの絞り部材４の表面４ａに対する傾斜角度がθ２（本実施形態では、約２５°）となるように設けられている。また、プリズム５ａは、被写領域Ｒａ１（図３参照）に対して右側（Ｘ１方向側）の被写領域Ｒａ２から入射される光線Ｌ２をレンズ部７２ｂに出射するために設けられている。具体的には、光線Ｌ２が光入射面５１ａを介して入射され、その光線Ｌ２が光反射面５３ａにより反射される。その後、光線Ｌ２が光出射面５２ａを介して出射される。被写領域Ｒａ２は、θ３（本実施形態では、約４０°）の角度範囲を有する。なお、図２の光線Ｌ２は、被写領域Ｒａ２から撮像領域Ｒｂ２に集光される光線の一例である。
【００４２】
プリズム５ｂは、平面的に見て直角二等辺三角形状に形成されるとともに、Ｚ１方向（図１参照）に延びるように形成されている。このプリズム５ｂは、光入射面５１ｂと、光入射面５１ｂと直交する面である光出射面５２ｂと、光反射面５３ｂとを有する。また、プリズム５ｂは、絞り部材４の開口部４１ｃと対応する領域に設けられている。
【００４３】
また、プリズム５ｂは、光出射面５２ｂの絞り部材４の表面４ａに対する傾斜角度がθ４（本実施形態では、約２５°）となるように設けられている。また、プリズム５ｂは、被写領域Ｒａ１（図３参照）に対して左側（Ｘ２方向側）の被写領域Ｒａ３から入射される光線Ｌ３をレンズ部７２ｃに出射するために設けられている。具体的には、光線Ｌ３が光入射面５１ｂを介して入射され、その光線Ｌ３が光反射面５３ｂにより反射される。その後、光線Ｌ３が光出射面５２ｂを介して出射される。被写領域Ｒａ３は、θ５（本実施形態では、約４０°）の角度範囲を有する。なお、図２の光線Ｌ３は、被写領域Ｒａ３から撮像領域Ｒｂ３に集光される光線の一例である。
【００４４】
ここで、撮像装置１００では、図３に示すように、撮像素子１の撮像領域Ｒｂ１と、隔壁２の開口部２ａと、レンズ部７２ａと、絞り部材４の開口部４１ａとにより、被写領域Ｒａ１を撮像するための個眼１０が構成されている。そして、個眼１０では、光線到達領域Ｒｃ１の内側に撮像領域Ｒｂ１が形成されている。
【００４５】
また、撮像装置１００では、図２に示すように、撮像素子１の撮像領域Ｒｂ２と、隔壁２の開口部２ｂと、レンズ部７２ｂと、絞り部材４の開口部４１ｂと、プリズム５ａとにより、被写領域Ｒａ１（図３参照）の右側の被写領域Ｒａ２を撮像するための個眼１１が構成されている。そして、個眼１１では、光線到達領域Ｒｃ２の内側に撮像領域Ｒｂ２が形成されている。
【００４６】
また、撮像装置１００では、撮像素子１の撮像領域Ｒｂ３と、隔壁２の開口部２ｃと、レンズ部７２ｃと、絞り部材４の開口部４１ｃと、プリズム５ｂとにより、被写領域Ｒａ１（図３参照）の左側の被写領域Ｒａ３を撮像するための個眼１２が構成されている。そして、個眼１２では、光線到達領域Ｒｃ３の内側に撮像領域Ｒｂ３が形成されている。
【００４７】
個眼１０〜１２は、正面視において、三角形の頂点と対応する領域に配置されている。個眼１０の撮像領域Ｒｂ１は、図９に示すように、Ｚ２方向側の端部Ｒｂ１１が個眼１１の光線到達領域Ｒｃ２のＺ１方向側の端部Ｒｃ２１、および個眼１２の光線到達領域Ｒｃ３のＺ１方向側の端部Ｒｃ３１と隣接するように設けられている。
【００４８】
個眼１０の光線到達領域Ｒｃ１は、Ｚ２方向側の端部Ｒｃ１１近傍が個眼１１の光線到達領域Ｒｃ２のＺ１方向側の端部Ｒｃ２１近傍、および個眼１２の光線到達領域Ｒｃ３のＺ１方向側の端部Ｒｃ３１近傍と重なるように構成されている。また、個眼１０の光線到達領域Ｒｃ１は、Ｚ２方向側の端部Ｒｃ１１が個眼１１の撮像領域Ｒｂ２のＺ１方向側の端部Ｒｂ２１、および個眼１２の撮像領域Ｒｂ３のＺ１方向側の端部Ｒｂ３１と隣接するように構成されている。
【００４９】
個眼１１の撮像領域Ｒｂ２は、図２および図９に示すように、Ｘ２方向側の端部Ｒｂ２２が個眼１２の光線到達領域Ｒｃ３のＸ１方向側の端部Ｒｃ３２と隣接するように設けられている。個眼１２の撮像領域Ｒｂ３は、Ｘ１方向側の端部Ｒｂ３２が個眼１１の光線到達領域Ｒｃ２のＸ２方向側の端部Ｒｃ２２と隣接するように設けられている。また、個眼１１の光線到達領域Ｒｃ２は、Ｘ２方向側の端部Ｒｃ２２近傍が個眼１２の光線到達領域Ｒｃ３のＸ１方向側の端部Ｒｃ３２近傍と重なるように構成されている。
【００５０】
また、撮像装置１００には、個眼１０〜１２により撮像された画像を１つの画像に合成するための処理部（図示せず）が設けられている。これにより、撮像装置１００は、角度範囲が約１２０°のパノラマ画像を撮像することが可能なように構成されている。
【００５１】
次に、図２、図３、および図５〜図７を参照して、本実施形態による撮像装置１００の製造方法について説明する。
【００５２】
まず、図５に示すように、レンズ部材７がレンズホルダ３の収納部３１に収納される。そして、レンズホルダ３の凹部３１ｄに塗布された紫外線硬化樹脂などの接着剤（図示せず）により、レンズ部材７がレンズホルダ３に取り付けられる。このとき、レンズ部材７のレンズ部７２ａ〜７２ｃは、それぞれ、レンズホルダ３の開口部３１ａ〜３１ｃと対応する領域に配置される。
【００５３】
次に、絞り部材４の開口部４２ａおよび４２ｂに、レンズ部材７の突出部７４ａおよび７４ｂが圧入される。これにより、絞り部材４がレンズ部材７の表面上に載置されるとともに、絞り部材４がレンズ部材７に対して位置決めされる。そして、絞り部材４は、図２および図３に示すように、レンズホルダ３の溝部３２に配置された両面テープなどの接着層８により、レンズホルダ３に取り付けられる。このとき、絞り部材４は、表面４ａがレンズホルダ３の表面３ａと略面一となるようにレンズホルダ３に取り付けられる。また、絞り部材４の開口部４１ａ〜４１ｃは、それぞれ、レンズ部材７のレンズ部７２ａ〜７２ｃと対応する領域に配置される。
【００５４】
次に、図２および図３に示すように、レンズホルダ３に赤外線カットフィルタ６および隔壁２が取り付けられる。また、レンズホルダ３の表面３ａおよび絞り部材４の表面４ａ上に、プリズム５ａおよび５ｂを保持するプリズムホルダ（図示せず）が突出部３３（図６および図７参照）に位置決めされて取り付けられる。その後、撮像素子１により撮像された画像を確認しながら、カバーガラス１ａが隔壁２に取り付けられる。
【００５５】
本実施形態では、上記のように、レンズ部材７の表面上に絞り部材４を設けることによって、絞り部材４がレンズ部材７に対して傾斜するのを抑制することができる。また、絞り部材４に開口部４２ａおよび４２ｂを形成するとともに、レンズ部材７に突出部７４ａおよび７４ｂを形成し、絞り部材４の開口部４２ａおよび４２ｂにレンズ部材７の突出部７４ａおよび７４ｂを挿入することにより、絞り部材４の開口部４１ａ〜４１ｃがレンズ部材７のレンズ部７２ａ〜７２ｃと対応する領域に位置する状態で、絞り部材４をレンズ部材７に対して位置決めすることができる。その結果、位置決め工程が複雑化するのを抑制しながら、絞り部材４をレンズ部材７に対して容易に位置決めすることができる。
【００５６】
また、本実施形態では、突出部７４ａおよび７４ｂを基材７１の対角線の端部近傍に形成することよって、位置決め用の突出部７４ａおよび７４ｂ間の距離を大きくすることができるので、絞り部材４のレンズ部材７に対する位置決め精度の向上を図ることができる。また、絞り部材４をレンズ部材７に対して誤挿入するのを抑制することができる。
【００５７】
また、本実施形態では、基材７１に凹部７３ａおよび７３ｂを形成するとともに、凹部７３ａおよび７３ｂに突出部７４ａおよび７４ｂを形成することによって、レンズ部材７を射出成形により形成する場合に、突出部７４ａおよび７４ｂの直径を基材７１の表面と対応する位置まで均一にすることができる。このため、開口部４２ａおよび４２ｂに突出部７４ａおよび７４ｂを挿入する際に、容易に、レンズ部材７の表面上に絞り部材４を載置することができる。
【００５８】
また、本実施形態では、レンズ部材７が収納される収納部３１が形成されたレンズホルダ３を設けるとともに、レンズホルダ３に絞り部材４を取り付けることによって、収納部３１に収納されたレンズ部材７に対して絞り部材４を位置決めしながら、絞り部材４をレンズホルダ３に取り付けることができるので、組立工程数が増加するのを抑制することができる。
【００５９】
また、本実施形態では、絞り部材４を鉄板により形成することによって、絞り部材を樹脂により形成する場合に比べて、絞り部材４の薄型化を図ることができる。これにより、撮像装置１００の薄型化も図ることができる。
【００６０】
また、本実施形態では、突出部７４ａの先端部７５ａをテーパ状に形成するとともに、突出部７４ｂの先端部７５ｂをテーパ状に形成することによって、絞り部材４の開口部４２ａおよび４２ｂに突出部７４ａおよび７４ｂを容易に挿入することができる。
【００６１】
また、本実施形態では、レンズホルダ３に溝部３２を形成することによって、絞り部材４をレンズホルダ３に取り付けた際に、レンズホルダ３の表面３ａと絞り部材４の表面４ａとを容易に略面一にすることができる。
【００６２】
本発明は、上述した以外にも種々の実施形態を採用することができる。たとえば、上記実施形態では、プリズム５ａおよび５ｂが平面的に見て直角二等辺三角形状に形成される例を示したが、これに限らず、図１０に示した本実施形態の第１変形例による撮像装置２００のように、プリズム２０１ａおよび２０１ｂが平面的に見て３０°と６０°の角を有する直角三角形状に形成されていてもよい。このように構成すれば、個眼１０が被写領域Ｒａ１を撮像する際に、プリズム２０１ａおよび２０１ｂにより影響を受けるのを抑制することができる。
【００６３】
また、上記実施形態では、プリズム５ａおよび５ｂが平面的に見て直角二等辺三角形状に形成され、レンズ部７２ａ〜７２ｃが約４０°の画角を有する例を示したが、これに限らず、図１１に示した本実施形態の第２変形例による撮像装置３００のように、プリズム３０１ａおよび３０１ｂが平面的に見て正三角形状に形成され、レンズ部７２ａ〜７２ｃが約６０°の画角を有するようにしてもよい。このように構成すれば、角度範囲が約１８０°のパノラマ画像を撮像することができる。
【００６４】
また、上記実施形態では、プリズム５ａ（５ｂ）を用いる例を示したが、これに限らず、プリズム５ａ（５ｂ）の代わりに一対のミラーを用いてもよい。
【００６５】
また、上記実施形態では、撮像領域Ｒｂ１、Ｒｂ２、およびＲｂ３がそれぞれ光線到達領域Ｒｃ１、Ｒｃ２、およびＲｃ３の内側に形成される例を示したが、これに限らず、隔壁２の開口部２ａ〜２ｃの大きさを調整することにより、光線到達領域Ｒｃ１、Ｒｃ２、およびＲｃ３がそれぞれ撮像領域Ｒｂ１、Ｒｂ２、およびＲｂ３と実質的に同じ大きさになるようにしてもよい。
【００６６】
また、上記実施形態では、レンズ部７２ａ〜７２ｃが平凸レンズである例を示したが、これに限らず、レンズ部７２ａ〜７２ｃが両凸レンズなどであってもよい。
【００６７】
また、上記実施形態では、レンズ部材７に３つのレンズ部７２ａ〜７２ｃが形成される例を示したが、これに限らず、レンズ部材７に２つ、または４つ以上のレンズ部が形成されていてもよい。また、絞り部材４に３つの開口部４１ａ〜４１ｃが形成される例を示したが、これに限らず、絞り部材４に２つ、または４つ以上の開口部が形成されていてもよい。
【００６８】
また、上記実施形態では、レンズ部材７に突出部７４ａおよび７４ｂが形成される例を示したが、これに限らず、レンズ部材７に３つ以上の突出部が形成されていてもよい。また、絞り部材４に突出部７４ａおよび７４ｂが挿入される開口部４２ａおよび４２ｂを形成する例を示したが、これに限らず、絞り部材４に突出部が挿入される３つ以上の開口部を形成してもよい。
【００６９】
また、上記実施形態では、赤外線カットフィルタ６および隔壁２をレンズホルダ３に取り付けた後、撮像素子１により撮像された画像を確認しながら、カバーガラス１ａを隔壁２に取り付ける例を示したが、これに限らず、撮像素子１により撮像された画像を確認しながら、赤外線カットフィルタ６および隔壁２をレンズホルダ３に取り付けるとともに、カバーガラス１ａを隔壁２に取り付けてもよい。
【００７０】
また、上記実施形態では、プリズム５ａおよび５ｂを保持するプリズムホルダ（図示せず）をレンズホルダ３および絞り部材４上に取り付けた後に、カバーガラス１ａを隔壁２に取り付ける例を示したが、これに限らず、カバーガラス１ａを隔壁２に取り付けた後に、プリズムホルダ（図示せず）をレンズホルダ３および絞り部材４上に取り付けてもよい。
【００７１】
また、上記実施形態では、赤外線カットフィルタ６を隔壁２の上に取り付ける例を示したが、これに限らず、赤外線カットフィルタ６を、隔壁２の下に取り付けてもよいし、カバーガラス１ａ上に真空蒸着によって形成してもよい。
【図面の簡単な説明】
【００７２】
【図１】本発明の一実施形態による撮像装置の全体構成の概略を示した分解斜視図である。
【図２】図１の５００−５００線に沿った断面図である。
【図３】図１の５１０−５１０線に沿った断面図である。
【図４】図１の撮像装置の隔壁を示した正面図である。
【図５】図１の撮像装置のレンズホルダ、レンズ部材、および絞り部材を示した分解斜視図である。
【図６】図１の撮像装置のレンズホルダ、レンズ部材、および絞り部材を示した斜視図である。
【図７】図１の撮像装置のレンズホルダ、レンズ部材、および絞り部材を示した正面図である。
【図８】図１の撮像装置のレンズ部材を示した正面図である。
【図９】図１の撮像装置の撮像素子を示した正面図である。
【図１０】本実施形態の第１変形例による撮像装置を示した断面図である。
【図１１】本実施形態の第２変形例による撮像装置を示した断面図である。
【符号の説明】
【００７３】
３              レンズホルダ
４              絞り部材
７              レンズ部材
３１            収納部
４１ａ〜４１ｃ  開口部（第１開口部）
４２ａ、４２ｂ  開口部（第２開口部）
７１            基材
７２ａ〜７２ｃ  レンズ部
７３ａ、７３ｂ  凹部
７４ａ、７４ｂ  突出部
１００、２００、３００  撮像装置
【図１】
2009229490.tif 000003
【図２】
2009229490.tif 000004
【図３】
2009229490.tif 000005
【図４】
2009229490.tif 000006
【図５】
2009229490.tif 000007
【図６】
2009229490.tif 000008
【図７】
2009229490.tif 000009
【図８】
2009229490.tif 000010
【図９】
2009229490.tif 000011
【図１０】
2009229490.tif 000012
【図１１】
2009229490.tif 000013